(57)【要約】【課題】ステープルを用いることなく、少数の部材から簡単に組み立てて多数の区画を形成でき、取扱性にも優れた仕切を提供する。【解決手段】シート材を折り曲げて組み立てられる複数の枠体１，２から構成し、各枠体１，２のシート材に一対の壁帯１１，２１を並べて設け、各壁帯１１，２１の両端部分を中折線ａを介して繋がった突合板１２，２２とし、その間の部分を壁帯１１，２１同士が切り離されて一列に配置された複数枚の側板１３，１４及び側板２３，２４として、これらの境界に角折線ｃを入れ、各壁帯１１，２１に切溝１５，２５を設け、シート材を角折線ｃに沿って巻き込むように折り曲げ、中折線ａに沿って突合板１２，２２同士が重なるように折り曲げて、切溝１５，２５の相互差込により、枠体１，２を組み合わせる。【選択図】図１
2007119054.tif 000002
【特許請求の範囲】
【請求項１】
シート材を折り曲げて組み立てられる複数の枠体から成り、各枠体のシート材に一対の壁帯を並べて設け、各壁帯の両端部分を中折線を介して繋がった突合板とし、その間の部分を壁帯同士が切り離されて一列に配置された複数枚の側板として、突合板と側板の境界及び側板同士の境界に角折線を入れ、各壁帯に切溝を設け、シート材を角折線に沿って巻き込むように折り曲げ、中折線に沿って突合板同士が重なるように折り曲げて、切溝の相互差込により、枠体同士を組み合わせた仕切。
【請求項２】
請求項１に記載の仕切において、各枠体をなす壁帯の一方の突合板を長く、他方の突合板を短くして、これらを互い違いに重ね合わせたことを特徴とする仕切。
【請求項３】
請求項１又は２に記載の仕切において、周壁をなす枠体の側板に、他の枠体の側板を重ね合わせたことを特徴とする仕切。
【発明の詳細な説明】
【技術分野】
【０００１】
この発明は、複数種の物品を区画して収納するための仕切に関するものである。
【背景技術】
【０００２】
例えば、工場の生産ラインにおいて、各種の部品を区画してトレーに収納する仕切として、段ボール等のシート材を用いた周壁と多数枚の仕切板とから成り、仕切板を切溝の相互差込により井桁状に組み合わせて周壁の内側に挿入し、各仕切板の両端部を折り曲げて周壁にステープルで固定したものが使用されている。
【０００３】
また、下記特許文献１には、図１１に示すように、隣接させて配置する箱体５０と、四角筒状の仕切枠５１とから成り、各箱体５０の突合板５２に上端から切溝５３を入れると共に、仕切枠５１の対向する端板５４に下端から切溝５５を入れ、切溝５３，５５の相互差込により、箱体５０同士を連結する仕切付連結箱が記載されている。
【０００４】
【特許文献１】実開昭６０−１３９７１４号公報
【発明の開示】
【発明が解決しようとする課題】
【０００５】
しかしながら、ステープルで周壁に仕切板を固定した仕切では、各区画に収納した部品がステープルに接触して傷付くおそれがあり、部材の点数も多く、組み立てに時間やコストがかかるほか、解体時のステープルの分離等に手間がかかるという問題がある。
【０００６】
また、特許文献１に記載の仕切付連結箱を部品の収納に使用するため、必要な区画数を確保するには、多数の箱体を連結しなければならず、組み立てに時間がかかるほか、持ち運びの際、箱体が分離してしまい、取り扱いにくいという問題がある。
【０００７】
そこで、この発明は、ステープルを用いることなく、少数の部材から簡単に組み立てて多数の区画を形成でき、取扱性にも優れた仕切を提供することを課題とする。
【課題を解決するための手段】
【０００８】
上記課題を解決するため、この発明に係る仕切は、シート材を折り曲げて組み立てられる複数の枠体から成り、各枠体のシート材に一対の壁帯を並べて設け、各壁帯の両端部分を中折線を介して繋がった突合板とし、その間の部分を壁帯同士が切り離されて一列に配置された複数枚の側板として、突合板と側板の境界及び側板同士の境界に角折線を入れ、各壁帯に切溝を設け、シート材を角折線に沿って巻き込むように折り曲げ、中折線に沿って突合板同士が重なるように折り曲げて、切溝の相互差込により、枠体同士を組み合わせることとしたのである。
【０００９】
また、各枠体をなす壁帯の一方の突合板を長く、他方の突合板を短くして、これらを互い違いに重ね合わせることにより、仕切壁の面一性を維持しつつ保形性を確保し、周壁をなす枠体の側板に、他の枠体の側板を重ね合わせ、強度を向上させたのである。
【発明の効果】
【００１０】
この発明に係る仕切では、複数の枠体を、中折線及び角折線での折り曲げにより、ステープルを用いることなく、簡単に組み立てて多数の区画を形成できるので、生産を効率化してコストダウンを図れると共に、収納した物品の損傷を防止することができ、各枠体の壁帯が繋がった状態で固定されるので、持運び時等における取扱性も向上する。
【発明を実施するための最良の形態】
【００１１】
以下、この発明の実施形態を添付図面に基づいて説明する。
【００１２】
この仕切は、図１に示すように、紙を積層した段ボールのシート材を材料とし、ブランクを折り曲げて組み立てられる１個の基本枠体１と、２個の組込枠体２とから形成されるものである。
【００１３】
図２に示す基本枠体１のブランクでは、一対の壁帯１１が並べて設けられ、各壁帯１１の両端部分には、中折線ａを介して繋がった突合板１２が配置されている。突合板１２の間の部分には、２枚の側板１３とこれに挟まれた１枚の側板１４とが一列に配置され、この部分では切離線ｂにより壁帯１１同士が切り離されている。
【００１４】
また、突合板１２と側板１３の境界及び側板１３と側板１４の境界には角折線ｃが入れられ、各壁帯１１の突合板１２は、一方が長く、他方が短くなっており、これらが互い違いに配置されている。突合板１２と側板１４には、壁帯１１の対向縁に複数条の切溝１５が等間隔に設けられている。
【００１５】
一方、図３に示す組込枠体２のブランクでは、一対の壁帯２１が並べて設けられ、各壁帯２１の両端部分には、中折線ａを介して繋がった突合板２２が配置されている。突合板２２の間の部分には、２枚の側板２３とこれに挟まれた１枚の側板２４とが一列に配置され、この部分は、隙間及び切離線ｂにより、壁帯２１同士が切り離されている。
【００１６】
また、突合板２２と側板２３の境界及び側板２３と側板２４の境界には角折線ｃが入れられ、各壁帯２１の突合板２２は、一方が長く、他方が短くなっており、これらが互い違いに配置されている。長い突合板２２の先端部及び基端部と、短い突合板の基端部と、側板２４の両端部及び中央部には、壁帯２１の対向縁に切溝２５が設けられている。
【００１７】
ここで、枠体１，２のブランクに入れた中折線ａは、材料の段ボールを厚さ方向の途中まで切断した半切線のほか、材料によっては、ミシン目状の切目を有するリード罫や、材料を厚さ方向に押圧した罫線とすることもできる。切離線ｂは、材料を厚さ方向の全てにわたって切断した全切線とする。また、角折線ｃは、罫線のほか、リード罫や半切線とすることもできる。
【００１８】
上記のようなブランクから基本枠体１を組み立てるには、図４に示すように、シート材を角折線ｃに沿って巻き込むように折り曲げ、図５に示すように、一対の壁帯１１を切離線ｂで分離させつつ、中折線ａに沿って折り曲げて、図６に示すように、各壁帯１１の長短の突合板１２を、仕切壁の面一性を維持するように重ね合わせる。
【００１９】
また、組込枠体２を組み立てるには、基本枠体１と同様、図７に示すように、シート材を角折線ｃに沿って巻き込むように折り曲げ、図８に示すように、一対の壁帯２１を切離線ｂで分離させつつ、中折線ａに沿って折り曲げて、図９に示すように、各壁帯２１の長短の突合板２２を、仕切壁の面一性を維持するように重ね合わせる。
【００２０】
そして、上記のように組み立てた枠体１，２から仕切を形成するには、図１０に示すように、側板１３の内側に側板２４が沿い、側板１４の外側に側板２３が沿うようにして、切溝１５，２５を相互に差し込むことにより、図１に示すように、１個の基本枠体１に２個の組込枠体２を組み合わせる。
【００２１】
なお、この組立作業に際しては、枠体１の周壁を包囲する治具を用いて、枠体１の周壁を方形に保持しておくと、重なり合う突合板１２の切溝１５が一致するので、枠体１，２を容易に組み合わせることができる。
【００２２】
上記のような仕切では、枠体１，２を、中折線ａ及び角折線ｃでの折り曲げにより、ステープルを用いることなく、簡単に組み立てて多数の区画を形成できるので、生産を効率化してコストダウンを図れると共に、収納した物品の損傷を防止することができる。
【００２３】
また、各枠体１，２の壁帯１１，２１が中折線ａを介し繋がった状態で互いに固定されるので、持ち運び等に際し、枠体１の周壁に手を掛けて持ち上げると、枠体１，２が分離することがなく、一体的に持ち上げられ、容易に取り扱うことができる。
【００２４】
また、基本枠体１の周壁をなす側板１３，１４に、組込枠体２の側板２４，２３がそれぞれ重なり、二重構造となっていることから、圧縮強度に優れ、使用時に多数段積み上げても潰れにくく、収納した物品を保護できる。
【００２５】
さらに、廃棄に伴い解体する際、ステープルを除去する必要がなく、容易かつ安全に解体でき、段ボールとステープルとを分別する必要もなく、段ボールを資源として再利用することも容易となる。
【００２６】
なお、上記実施形態では、材料として紙製段ボールのシート材を用いたものを例示したが、材料とするシート材には、中折線ａでの１８０°の折り曲げが可能なものであれば、リブを有する中空構造のプラスチック製段ボールや、発泡ポリプロピレン等のボードのほか、板紙やプラスチック板等を用いることもでき、収納する物品の性質に応じて適当なものを選択できる。
【００２７】
また、枠体１，２により構成される仕切壁の間隔は、収納する物品の大きさや数量に応じて適当に設定することができ、枠体１に任意の個数の枠体２を組み合わせることができる。さらに、周壁の形状は、収納する物品の形状や収納形態に応じて、方形以外に六角形や八角形等とすることもできる。
【図面の簡単な説明】
【００２８】
【図１】この発明の実施形態に係る仕切の組立状態を示す斜視図
【図２】同上の基本枠体のブランクを示す図
【図３】同上の組込枠体のブランクを示す図
【図４】同上の基本枠体の組立過程の初期状態を示す斜視図
【図５】同上の中間状態を示す斜視図
【図６】同上の組立状態を示す斜視図
【図７】同上の組込枠体の組立過程の初期状態を示す斜視図
【図８】同上の中間状態を示す斜視図
【図９】同上の組立状態を示す斜視図
【図１０】同上の基本枠体と組込枠体の組合せ過程を示す斜視図
【図１１】従来の仕切付連結箱を示す分解斜視図
【符号の説明】
【００２９】
１  基本枠体
２  組込枠体
１１，２１  壁帯
１２，２２  突合板
１３，１４，２３，２４  側板
１５，２５  切溝
ａ  中折線
ｂ  切離線
ｃ  角折線
【図１】
2007119054.tif 000003
【図２】
2007119054.tif 000004
【図３】
2007119054.tif 000005
【図４】
2007119054.tif 000006
【図５】
2007119054.tif 000007
【図６】
2007119054.tif 000008
【図７】
2007119054.tif 000009
【図８】
2007119054.tif 000010
【図９】
2007119054.tif 000011
【図１０】
2007119054.tif 000012
【図１１】
2007119054.tif 000013